Podtech/llm-jp-corpus-v4-ja_patent huggingface dataset:
(57)【要約】      （修正有）【課題】フローリングワイパーの保管において所定の場所でも格納できる様各パーツ毎に組み立て可能な仕組みにする、フローリングワイパー部品を提供する。【解決手段】フローリングワイパーにおいてシャフトの両端の外径ａ、ｂにおいて、ａ＜ｂとなる様テーパーをかける。次に一端の外径がａの部分にワイパー、他端の外径がｂの部分に取っ手を挿入できる様挿入口を設け、ワイパー，取っ手の取り外しができる様にする事により、所定の場所でも格納できる。【選択図】図１
0003203128.tif 000002
【実用新案登録請求の範囲】
【請求項１】
フローリングワイパーにおいて、シャフト部分の外径をａ＜ｂとなる様にテーパーをかける。
【請求項２】
シャフト部ａにはワイパー、シャフト部ｂには取っ手が挿入できる様ワイパー部分にはａ＋ｘ（注１）の挿入口、取っ手部分にはｂの挿入口を設ける。
（注１）ａ＜ａ＋ｘ＜ｂとなる様にする。
【考案の詳細な説明】
【技術分野】
【０００１】  本考案はフローリングワイパーを各パーツ毎に組み立て可能な仕組みにする事により、フローリングワイパーを所定の場所でも格納できる様にするものである。
【背景技術】
【０００２】  従来のフローリングワイパーの保管において、一定のスペースが必要であった。
【先行技術文献】
【特許文献】
【０００３】
【特許文献１】特開平２００４−１５９９１６
【考案の概要】
【考案が解決しようとする課題】
【０００４】  従来のフローリングワイパーの保管において、ある一定のスペースが必要であり、所定の場所に格納しようとすると、シャフト若しくは、取っ手がはみ出てしまう。
そこで、各パーツ毎に組み立て可能な仕組みにする事で、所定の場所での格納を目指すものである。
【課題を解決するための手段】
【０００５】  本考案は始めにシャフト（外径部）がａ＜ｂとなる様にテーパーを掛ける。次にフローリングワイパーにおけるワイパー部にａ、取っ手部にｂが挿入できる様，挿入口を設ける事により、各パーツ毎に組み立て可能な仕様となり所定の場所でも格納できる様にするものである。
【考案の効果】
【０００６】  フローリングワイパーを各パーツ毎に組み立て可能な仕組みにする事により、所定の場所でも格納できる様になった。
【図面の簡単な説明】
【０００７】
【図１】シャフト部分
【図２】シャフト部分（側面図）
【図３】ワイパー部分
【図４】取っ手部分
【図５】組み立て図
【考案を実施するための形態】
【０００８】  始めにシャフトにおいて、シャフト外径ａ＜ｂとなる様、テーパーを掛ける。次にワイパー部に内径ａ＋ｘ（注２）、取っ手部に内径ｂの挿入口を設ける。
組み立て方法は、シャフトｂ部にシャフトａ部を挿入してシャフトを組み立てる。
次にワイパー（挿入口）にシャフト外径ａ部を、取っ手（挿入口）にシャフト外径ｂ部を挿入する事により、フローリングワイパーを組み立てる。
格納する際は、取っ手、シャフト、ワイパー部各パーツ毎に分解する事により、所定の場所でも格納できる様にするものである。
（注２）ａ＜ａ＋ｘ＜ｂとなる様にする。
【実施例】
【０００９】  添付図に従って説明する。組み立て方法は、シャフト（図１）において、シャフトｂ部にシャフトａ部を挿入してシャフトを組み立てる。
次にワイパー挿入口（図３）にシャフトａ部を、取っ手挿入口（図４）にシャフトｂ部を挿入してフローリングワイパーを組み立てる（図５）。
格納する際は、取っ手、シャフト、ワイパー部各パーツ毎に分解する事により、所定の場所へ格納する。
【図１】
0003203128.tif 000003
【図２】
0003203128.tif 000004
【図３】
0003203128.tif 000005
【図４】
0003203128.tif 000006
【図５】
0003203128.tif 000007
【手続補正書】
【提出日】平成27年8月26日(2015.8.26)
【手続補正１】
【補正対象書類名】図面
【補正対象項目名】図３
【補正方法】変更
【補正の内容】
【図３】
0003203128.tif 000008
【手続補正書】
【提出日】平成27年10月27日(2015.10.27)
【手続補正１】
【補正対象書類名】実用新案登録請求の範囲
【補正対象項目名】全文
【補正方法】変更
【補正の内容】
【実用新案登録請求の範囲】
【請求項１】
フローリングワイパーにおけるシャフト部品において、シャフトの両端の外径がａ＜ｂとなる様、テーパーを掛けたシャフト部品。
【請求項２】
フローリングワイパーの挿入口において、シャフト外径ａ部が挿入できる様、ワイパーの挿入口の寸法をａ＋ｘとしたフローリングワイパー部品。
【請求項３】
フローリングワイパーの取っ手において、シャフト外径ｂ部が挿入できる様、取っ手の挿入口の寸法をｂとした取っ手部品。
【請求項４】
請求項１から請求項３における各部品において、シャフト外径ａ、シャフト外径ｂ，フローリングワイパーの挿入口ｘ＋ａ、取っ手の挿入口ｂ各寸法が、ａ＜ａ＋ｘ＜ｂとなる様にする。
【手続補正書】
【提出日】平成27年10月27日(2015.10.27)
【手続補正１】
【補正対象書類名】明細書
【補正対象項目名】０００８
【補正方法】変更
【補正の内容】
【０００８】  始めにシャフトにおいて、シャフト外径ａ＜ｂとなる様、テーパーを掛ける。次にワイパー部に内径ａ＋ｘ（注１）、取っ手部に内径ｂの挿入口を設ける。
組み立て方法は、シャフトｂ部にシャフトａ部を挿入してシャフトを組み立てる。
次にワイパー（挿入口）にシャフト外径ａ部を、取っ手（挿入口）にシャフト外径ｂ部を挿入する事により、フローリングワイパーを組み立てる。
格納する際は、取っ手、シャフト、ワイパー部各パーツ毎に分解する事により、所定の場所でも格納できる様にするものである。
（注１）ａ＜ａ＋ｘ＜ｂとなる様にする。
【手続補正書】
【提出日】平成27年10月27日(2015.10.27)
【手続補正１】
【補正対象書類名】図面
【補正対象項目名】図１
【補正方法】変更
【補正の内容】
【図１】
0003203128.tif 000009
【手続補正２】
【補正対象書類名】図面
【補正対象項目名】図３
【補正方法】変更
【補正の内容】
【図３】
0003203128.tif 000010
【手続補正書】
【提出日】平成27年12月25日(2015.12.25)
【手続補正１】
【補正対象書類名】実用新案登録請求の範囲
【補正対象項目名】全文
【補正方法】変更
【補正の内容】
【実用新案登録請求の範囲】
【請求項１】
フローリングワイパーにおけるシャフト部品おいて、シャフトの両端の外径がａ＜ｂとなる様、テーパーを掛けたシャフト部品。
【請求項２】
フローリングワイパーの挿入口において、外径の大きさがａであるシャフト外径が挿入できる様、フローリングワイパーの挿入口の寸法をａ＋ｘとし、外径の大きさがａであるシャフト外径とフローリングワイパー挿入口の寸法ａ＋ｘの値がａ＜ａ＋ｘとなる様にしたフローリングワイパー部品。
【請求項３】
フローリングワイパーの取っ手において、外径の大きさがｂであるシャフト外径が挿入できる様、取っ手の挿入口の寸法をｂとし、請求項２におけるフローリングワイパーの挿入口の寸法ｘ＋ａと外径の大きさがｂであるシャフト外径，取っ手の挿入口の寸法ｂの値がｘ＋ａ＜ｂとなる様にした取っ手部品。
(57)【要約】      （修正有）【課題】小食の需要に対応する小分けレトルト食品を提供する。【解決手段】小食の需要に対応するため、一人前のレトルト食品２を半人前、三分の一前等小袋にわけてレトルトパッケージ１した。【選択図】図１
0003203130.tif 000002
【実用新案登録請求の範囲】
【請求項１】
レトルト食品の一人前を小分して、前記小分されたものをそれぞれレトルトパックして１つの製品とし、いろいろな味および量のレトルト食品を複数個組み合わせて提供する。
【考案の詳細な説明】
【技術分野】
【０００１】  本考案は、一人前のレトルト食品を予め半人前ずつとか三分の一ずつの小袋に分けて販売するというレトルト食品に関するものである。
【背景技術】
【０００２】  従来、レトルト食品には、一袋当たり一人前の他に二人前、メガ盛り等、量が多く入っているものはあるが、半人前等小食に対応するパッケージはなかった。
【考案の概要】
【考案が解決しようとする課題】
【０００３】  小食の需要に対応するレトルト食品を提供する。
【課題を解決するための手段】
【０００４】  小食の需要に対応するため、一人前のレトルト食品を半人前、三分の一前等小袋にわけてレトルトパッケージし提供する。前記小袋を複数個組み合わせたり、味の違うものを複数種類組み合わせて提供することも出来る。
【考案の効果】
【０００５】  高齢化社会の進展に伴い、小食の高齢者が増えている。小食の高齢者が一人前のレトルト食品では量が多すぎて中々手を出せなかったレトルト商品も手軽に取り入れ食事がバラエティになる。ダイエット中の人も半人前のレトルト食品なら、取り入れやすくなる。小食の子どもにも無駄なく食べさせることができる。
【図面の簡単な説明】
【０００６】
【図１】レトルトカレーの半人前パックと、一人前パック
【考案を実施するための形態】
【０００７】  一人前のレトルト食品を、二分の一とか三分の一とかに小分して、それぞれレトルトパックする。
【実施例】
【０００８】  以下添付図を使って、一実施例を説明する。１は、小分された半人前カレーレトルトパック。２は、一人前カレーレトルトパック。
【符号の説明】
【０００９】１小分された半人前カレーレトルトパック
２一人前カレーレトルトパック
【図１】
0003203130.tif 000003
【手続補正書】
【提出日】平成27年9月16日(2015.9.16)
【手続補正１】
【補正対象書類名】実用新案登録請求の範囲
【補正対象項目名】全文
【補正方法】変更
【補正の内容】
【実用新案登録請求の範囲】
【請求項１】
レトルト食品の一人前を小分して、前記小分されたものをそれぞれレトルトパックして１つの製品として提供する。
【手続補正書】
【提出日】平成27年11月16日(2015.11.16)
【手続補正１】
【補正対象書類名】実用新案登録請求の範囲
【補正対象項目名】全文
【補正方法】変更
【補正の内容】
【実用新案登録請求の範囲】
【請求項１】
レトルト食品の一人前を小分けして、前記小分けされたものをそれぞれレトルトパックして１つの製品として提供することを特徴とする小分けレトルト食品。
(57)【要約】      （修正有）【課題】姿勢を整えるためのストレッチ及び運動を、いつでもどこでも狭いスペースでも簡単に出来、なおかつ持ち運びが可能である運動補助器具を提供する。【解決手段】伸縮性を有する素材のゴム３本を三つ編状にして輪とし、その輪のサイズが調整でき、手首や腕に装着する。手首に常に装着できることで、いつでも運動をすることが可能となり、収縮性のあるゴムを三つ編みにして耐久性を出すことで、さまざまな運動が可能となる。また、腕を広げたり、立たなくとも、イスに座った状態でも運動が可能となる。【選択図】図１
0003203143.tif 000002
【実用新案登録請求の範囲】
【請求項１】
伸縮性を有する素材のゴム３本を三つ編状にし、輪のサイズが調整でき、手首に装着することが出来る形成である。腕に装着することが出来ることで、持ち運びが便利となり、いつでもどこでも、狭いスペースで、様々なストレッチ運動や筋力トレーニングを可能とさせることを特徴とした運動補助器具である。
【考案の詳細な説明】
【技術分野】
【０００１】健康の維持、促進と姿勢を整えるために必要な運動をする際に用いる運動補助器具で、狭いスペースでも簡単にできる運動器具でありながら運動効率の高い運動を実施するための運動補助器具。
【技術背景】
【０００２】健康の維持、促進のためには姿勢を正しく整え適度に身体を動かすことが重要であると言われている。
【０００３】しかしスマートフォンなどの携帯電話の普及やポータブルゲーム機または生活スタイルにより正しい姿勢が崩れてしまう原因が多い。
【０００４】また場所や時間、あるいは電車やバスなどの移動手段の普及により運動する機会も減っている。
【０００５】健康の維持、促進のための正しい姿勢を獲得するための運動補助器具として、肩甲骨を動かす運動補助器具や腹筋を鍛える運動として様々な運動器具が普及しているがスペースを必要とする場合が多い。
【０００６】また、姿勢が乱れてしまうと、腰や肩、首、膝など身体の一部に集中し負担となり、その状態が続くことで腰痛や肩こり等の一員となることが多い。
【０００７】マッサージ器具や手技によるマッサージ等で緩和・改善されるが、普段の生活によりすぐに姿勢が乱れてしまうため、ほんの少しでも空いた時間で身体をこまめに動かすことが必要である。
【０００８】さらに、バスや電車、飛行機など長時間の移動等、狭いスペースで長時間すわり続けることはエコノミー症候群を引き起こすことがあるため、長時間の移動中も身体を動かすことが重要である。
【考案が解決しようとする課題】
【０００９】  姿勢は、一時的に正しくなってもスマートフォンやゲーム、読書を始めバッグを肩にかけて歩く、脚を組んで座るなどの行為をすることによりすぐに悪い姿勢にもどってしまう。
【００１０】  本考案は、いつでもどこでも思いついたときに簡単に運動でき、持ち運びも容易な運動補助器具を提供することを目的とする。
【００１１】  特許文献１では、ゴムチューブを三つ編状にしたストレッチゴムで、肩甲骨や首、股関節など、姿勢を正すために必要な運動を補助する運動器具であるが、ゴムを肩幅より広い状態で引っ張ることが必要で、立位での大きな動きを行う必要があり、狭いスペースでの運動をするには適していない。
【特許文献１】  実用新案登録第３１３２２１６号
【課題を解決するための手段】
【００１２】そこで、本考案は前記課題を解決するため、以下の手段を採用した。
【００１３】本考案の請求項１に記載の運動補助器具は、図１のように形成している。
【００１４】そのため、ブレスレットのように常に手首に付けておくことが可能な形状になっており、少しでも身体を動かしたいときにすぐに運動出来、持ち運びに大変便利である。
【００１５】  また座位の状態でも出来るほどのスペースで十分なので、飛行機の機内やバスなどでも手首から外してすぐに身体を動かすことが可能である。
【００１６】また、本考案図（１）は伸縮性を有する素材のゴムを３本編み込み、耐久性と安全性にも配慮している。
【考案の効果】
【００１７】図（２）−ａのように、両手の平を合わせた状態で、本考案を手首に通し、図（２）−ｂのように指を広げ、図（２）−ｃのように腕を上下に動かすことで、肩甲骨を動かすことができ、肩甲骨周辺の筋群をほぐし、柔軟性を向上させることは出来る。
【００１８】持ち方は図（２）−ａ、ｂと同じで、図（３）−ａのように腕を上に伸ばし、その後図（３）−ｂのように左右に倒したり、腰をまわしたりすることで、体側や腰回りの筋肉をストレッチし、ほぐすことが出来る。
【００１９】また、図（４）−ａのように両腕を輪っかに通し、図（４）−ｂのように腕をまわすことで上腕や胸の筋肉を刺激し、筋力を強化することが出来る。
【００２０】その他、さまざまな運動が可能であるが、これらの運動はすべてイスに座った状態で行うことが出来るため、長時間の移動中や仕事の合間など、動きたいと思ったときに簡単なストレッチや筋肉トレーニングを行うことが可能である。
【考案を実施するための最良の形態】
【００２１】一本の伸縮性を有する素材を用いて形成された紐状のゴム３本を図（５）のように編み込む。【００２２】その編み込んだゴムを輪っかのようにし、図（６）−ａの穴の開いた球状体に左右から図（６）−ｂのように通した状態が図（１）である。【００２３】ゴムは、輪っかを一つの輪にとどめている役割があり、球状態部分を利用してゴムを引っ張ることで輪っかの調整が可能となる。
【図面の簡単な説明】
【００２４】
【図１】は本考案の全体図である。
【００２５】
【図２】ａからｃは本考案の使用方法図である。
【００２６】
【図３】ａからｂは本考案の使用方法図である。
【００２７】
【図４】ａからｂは本考案の使用方法図である。
【００２８】
【図５】は、本考案を作成する段階の全体図である。
【００２９】
【図６】ａは、本考案の一部部品の正面図である。ｂは、本考案を作成する方法の説明図である。
【図１】
0003203143.tif 000003
【図２】
0003203143.tif 000004
【図３】
0003203143.tif 000005
【図４】
0003203143.tif 000006
【図５】
0003203143.tif 000007
【図６】
0003203143.tif 000008
【手続補正書】
【提出日】平成27年12月17日(2015.12.17)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有する素材のゴム３本を三つ編状にして輪とし、その輪のサイズが調整でき、手首に装着することが出来る形状であり、腕に装着することが出来ることを特徴とした運動器具。
(57)【要約】      （修正有）【課題】適宜の大きさの盤の一面に、色々な文字、記号等を凸刻し、この凸刻を指先で触って認識する時間等を競う能動的触覚ゲーム装置を提供する。【解決手段】盤１の表面に色々な種類の文字、記号等を浮き彫り状にした凸刻２を設け、裏面に表面の文字、記号等の読みや意味を記し、盤１の周縁の一部に、凸刻２の上向き方向を示す突起３を設けたものである。【選択図】図１
0003203144.tif 000002
【実用新案登録請求の範囲】
【請求項１】
適宜の大きさの盤の一面に色々な種類の文字、記号等の凸刻を設け、盤の周縁の一部に突起を設け、盤の凸刻を触覚で認識することを特徴とした能動的触覚ゲーム。
【請求項２】
盤に設けた色々な種類の文字、記号等の凸刻を種類別に色分けした請求項１記載の能動的触覚ゲーム。
【考案の詳細な説明】
【技術分野】
【０００１】  本考案は、盤面に刻んだ文字、記号等を手（指先）で触って認識（確認）しようとするものである。
【背景技術】
【０００２】  盤面に刻まれている文字等を触って認識するようなことは、今までにもあったと思われるが、それがゲームとして存在していたかどうかは不明である。
【考案の概要】
【考案を解決しようとする課題】
【０００３】  本考案は、円盤等の一面に設けた文字、記号等を指で触って認識するゲームである。
【課題を解決するための手段】
【０００４】  円盤の一面に凸刻した文字や記号等を設け、円盤の外周の一部に突起を設けたものである。
【考案の効果】
【０００５】  本考案は、目を閉じて盤面に刻んだ文字や記号等を指先で触って認識したり、目を閉じなくても、箱や袋等に入れた文字や記号等を指先で触って、目的の文字、記号を探し当てるものである。触覚器官の発達向上につながり、認知症の予防等に効果があるのではないかと思われる。
【図面の簡単な説明】
【０００６】
【図１】本考案の拡大斜視図である。
【考案を実施するための最良の形態】
【０００７】  本考案は、適宜の大きさの円盤の一面に文字、記号等を凸刻し、円盤の外周の一部に突起を設けたものである。
【実施例】
【０００８】  図面にて説明すると、図１は本考案の拡大斜視図である。プラスチック等の材質で丸い盤１を作成する。盤１の大きさは直径３ｃｍ〜４ｃｍ位、厚さは０．５ｍｍ〜１ｍｍ位が適当と思われる。【０００９】  盤１の表面に、ひらがな、カタカナ、アルファベット（大文字、小文字）、漢数字、アラビア数字等の文字や、点字記号、地図記号、モールス符号等を浮き彫り状に設けた凸刻２とする。凸刻２の高さは、０．５ｍｍ〜１ｍｍ位が適当と思われる。尚、点字記号においては現状の山型突起とする。【００１０】  盤１の周縁の一部に突起３を設ける。これは、色々な文字、記号等の凸刻２の向き（方向）を示すもので、文字、記号等が上方を向いた上縁に設ける。突起３ではなく、その部分を凹部にすることも考えられる。【００１１】  盤１の裏面には、表面の文字、記号等の読み方や意味等を記入すれば、凸刻２の文字、記号等が解からなくても、裏面を見れば直ぐに解かる。例えば、表面が「あ」ならば裏面は「Ａ」。表面が「か」ならば裏面は「ＫＡ」と記入しておけば、外国の人でもひらがなが解かると思われる。【００１２】  又、アルファベットの場合、表面が「Ａ」ならば裏面は「エイ」。表面が「Ｂ」ならば裏面は「ビー」と記入する（小文字も同じ）。点字記号であれば、表面の点字の読み方を裏面に記入し、地図記号ならば、表面の記号は何を表わしているのかを裏面に記す。モールス符号も同様にしておけば触りながら記憶できる。尚、地図記号においては、盤１に納まる大きさの記号を選び難解なものは除く。【００１３】  ゲームの方法としては色々考えられるが、一例を示すと、机、テーブル等の上、あるいは平面の床に、ひらがな全部の文字を乱雑に混ぜて山盛りにする。目を閉じたり、目隠し等をした後、時間と共にスタートし、両手（又は片手）で持った盤１の突起３を触り、文字の上向きを確認し、指先で凸刻２の文字を認識していく。一つづつ認識した文字を声を出して回りの人に伝える。全部認識するのに何分かかったかを競うゲームで、認識した文字と声を出して伝えた言葉が違った場合、その時点でゲームは終了（失格）となる。カタカナ、アルファベット、漢数字、アラビア数字、点字、地図記号、モールス符号等でも同様にできると思われる。又、ひらがなの濁音、半濁音、「ぁ、ぃ、ぅ、ぇ、ぉ」の小文字等を加えれば、認識し難くなるが色々ゲームの巾が広がる。【００１４】  他の例としては、混ぜた山盛りのひらがなの凸刻２の文字の中から、例えば「さくら」という３文字を探し出すのに何分かかったかを競うゲームである（アルファベットならば英単語等）。間違えば前記同様失格となる。その他の種類の文字、記号等においても、色々なゲーム方法が考えられる。【００１５】  目隠しをしなくても、盤１の文字、記号等が見えないようにした箱や布袋等に、各種の盤１を納め、その箱や袋から認識する文字、記号等を取り出して、前記のようなゲームを行なうこともできる。【００１６】  少し時間がかかるが、文字、記号等色々な種類の盤１を混ぜてゲームを行なうこともできる（選んだ盤１が何であるかを答える）。このようなゲームをした後、それぞれの格納ケース等に盤１を別けて納める際、分別し易くするため、各種類の盤１の凸刻２の文字、記号等を色分けしておく。例えば、ひらがなは黒色、カタカナは赤色、アルファベットの大文字は青色、小文字は緑色、漢数字、アラビア数字は黄色、点字記号は茶色、地図記号は桃色、モールス符号は紫色等に色分けしておく。こうすれば分別し易く、それぞれの格納ケースに素早く納めることができる。【００１７】  又、ゲームではなく一人で楽しむこともできる。例えば、寝た状態でも座った状態でも良いが、箱や袋等に入れたひらがな文字等の中に手を入れ、一枚の盤１を手で持ち、突起３で文字の向きを確認し、指先でその文字が何であるかを認識する。何度も繰り返すことにより、素早く認識できるようになれば、前記したような効果が期待できると思われる。【００１８】  盤１を直径３ｃｍと４ｃｍの二種類作り、４ｃｍの盤１の認識に慣れて早くなれば、３ｃｍの盤１でやるのも一方法である。３ｃｍになると認識し難く、触覚器官の向上に繋がるものと思われる。
【符号の説明】
【００１９】  １  盤
２  凸刻
３  突起
【図１】
0003203144.tif 000003
【手続補正書】
【提出日】平成27年12月18日(2015.12.18)
【手続補正２】
【補正対象書類名】実用新案登録請求の範囲
【補正対象項目名】全文
【補正方法】変更
【補正の内容】
【実用新案登録請求の範囲】
【請求項１】
適宜の大きさの盤の一面に色々な種類の文字、記号等の凸刻を設け、盤の周縁の一部に突起を設け、盤の凸刻を触覚で認識することを特徴とした能動的触覚ゲーム装置。
【請求項２】
盤に設けた色々な種類の文字、記号等の凸刻を種類別に色分けした請求項１記載の能動的触覚ゲーム装置。
(57)【要約】【課題】本考案は、硬度表示があるシャープペンシル用芯を得ることにある。【解決手段】シャープペンシル用芯１にマーク２をつけて、マークの数と色により硬度の判別ができるようにする。マークの色は任意のＡ色とＢ色の２色とする。硬度Ｈから硬度９ＨはＡ色のマークの数、硬度Ｂから硬度６ＢはＢ色のマークの数とする。つまりＡ色が２個なら硬度２Ｈであり、Ｂ色が４個なら硬度４Ｂとする。硬度ＨＢは、Ａ色が１個とＢ色が１個とする。硬度Ｆは、Ａ色が２個とＢ色が１個とする。これにより、硬度表示があるシャープペンシル用芯を得ることができる。【選択図】図１
0003203141.tif 000002
【実用新案登録請求の範囲】
【請求項１】
硬度表示があるシャープペンシル用芯の考案であり、視覚的にシャープペンシル用芯の硬度を判別できることを特徴とする。
【考案の詳細な説明】
【技術分野】
【０００１】本考案はシャープペンシル用芯の硬度表示に関する。
【背景技術】
【０００２】従来は替芯ケースに硬度の表示をしているだけで、芯には硬度表示が無い。
【考案の概要】
【考案が解決しようとする課題】
【０００３】本考案は、以上のような従来の欠点に鑑み、シャープペンシル用芯に硬度を表示した。
【課題を解決するための手段】
【０００４】上記目的を達成するためにシャープペンシル用芯にマークをつけ、マークの色と数により硬度を判別する。マークの色は２種類で任意のＡ色とＢ色とする。硬度Ｈから９ＨはＡ色マークの数、硬度Ｂから６ＢはＢ色マークの数、ＨＢはＡ色が１個とＢ色が１個、ＦはＡ色が２個とＢ色が１個とする。つまりＡ色が２個なら２Ｈであり、Ｂ色が４個なら４Ｂである。
この判別の方法は販売者がパッケージやパンフレット等で周知をする。
【考案の効果】
【０００５】以上の説明から明らかなように、本考案にあっては、シャープペンシル用芯の硬度を視覚的に判別することが可能となる。
【図面の簡単な説明】
【０００６】
【図１】シャープペンシル用芯▲１▼にマーク▲２▼をつける。
【考案を実施するための形態】
【０００７】シャープペンシル用芯の製造過程において、芯にマークをつける。パッケージ等にマークの数と色で硬度表示をしている旨を表示する。
【実施例】
【０００８】例えば、シャープペンシル用芯のマークがＡ色４個の場合は、芯の硬度が４Ｈであると判別できる。
【産業上の利用可能性】
【０００９】本考案は、シャープペンシル用芯を製造する産業で利用される。
【符号の説明】
【００１０】１  シャープペンシル用芯
２  マーク
【図１】
0003203141.tif 000003
【手続補正書】
【提出日】平成27年12月14日(2015.12.14)
【手続補正１】
【補正対象書類名】実用新案登録請求の範囲
【補正対象項目名】全文
【補正方法】変更
【補正の内容】
【実用新案登録請求の範囲】
【請求項１】
１つ以上のマークがつけられ、当該マークの色は２種類であって、当該マークの色と数により硬度を判別可能とすることを特徴とする硬度表示があるシャープペンシル用芯
(57)【要約】      （修正有）【課題】産業用ロボットとネジ締め機（ナットランナー等）を組み合わせて自動でネジを締める場合、回転方向に対して反力（反作用）が発生する。それを抑えるために、必要以上に大きなロボットを使う必要のない反力対策機構を提供する。【解決手段】主に手作業で使用されるトルクチューブをネジ締め機（ナットランナー等）に組み入れて反力（反作用）を吸収する。もしくは、ネジ締め機（ナットランナー等）に反力受けの棒を組み込み、その反力受け棒を被締付物に固定して反力を吸収できるようにする。【選択図】図１
0003203142.tif 000002
【実用新案登録請求の範囲】
【請求項１】
ロボットとネジ締め機を組み合わせて自動ネジ締めを行う場合の反力対策としてトルクチューブを使用すること。
【請求項２】
ロボットとネジ締め機を組み合わせて自動ネジ締めを行う場合の反力対策として反力棒をネジ締め機に取り付けて被締付物で締め付け反力を受けること。
【考案の詳細な説明】
【考案の概要】
【考案が解決しようとする課題】
【０００１】産業用ロボットとネジ締め機（ナットランナー等）を組み合わせて自動でネジを締める場合、回転方向に対して反力（反作用）が発生する。  それを抑えるために実際のロボットの可搬重量よりも大きな能力のロボットを使用する必要があり、大きな締付トルクの場合は、必要以上に大きなロボットを使う場合がある。
【課題を解決するための手段】
【０００２】主に手作業で使用されるトルクチューブをネジ締め機（ナットランナー等）に組み入れて反力（反作用）を吸収する。  もしくは、ネジ締め機（ナットランナー等）に反力受けの棒を組み込み、その反力受け棒を被締付物側にて受ける構造とし、反力を吸収できるようにする。
【考案の効果】
【０００３】ロボットの可搬重量以下のネジ締め機（ナットランナー等）であれば、どんな大きな締付トルクでも安全に締めることができ、必要以上に大きなロボットを使う必要がない。
【図面の簡単な説明】
【０００４】
【図１】ロボットとトルクアームを組み合わせたときの立体図
【図２】ロボットと反力受け棒を組み合わせたときの立体図
【図３】ロボットとネジ締め機を使用して自動ネジ締めをするときの問題点
【図４】ロボットとトルクアームの使用例
【図５】ロボットと反力受け棒の使用例
【図６】反力受け棒と被締付物の位置関係図
【図７】反力受け棒と被締付物の位置関係で実際にネジ締め機と反力受け棒を配置した図
【符号の説明】
【０００５】１  ネジ締め機（ナットランナー等）
２  一般産業用ロボット（多関節／Ｘ−Ｙ座標タイプ等）
３  トルクチューブ（伸縮式）
４  支柱
５  被締付物（エンジン用ボルト等）
６  反力受け棒
７  被締付物側反力受け
８  被締付物側反力受け穴
【図１】
0003203142.tif 000003
【図２】
0003203142.tif 000004
【図３】
0003203142.tif 000005
【図４】
0003203142.tif 000006
【図５】
0003203142.tif 000007
【図６】
0003203142.tif 000008
【図７】
0003203142.tif 000009
【手続補正書】
【提出日】平成27年12月17日(2015.12.17)
【手続補正１】
【補正対象書類名】実用新案登録請求の範囲
【補正対象項目名】全文
【補正方法】変更
【補正の内容】
【実用新案登録請求の範囲】
【請求項１】
ロボットとネジ締め機を組み合わせて自動ネジ締めを行う場合の反力対策としてトルクチューブをロボットに組み合わせることによりロボットに負担を掛けずにネジ締めが出来ることを特徴とする組み合わせ。
【請求項２】
ロボットとネジ締め機を組み合わせて自動ネジ締めを行う場合の反力対策として反力棒をネジ締め機に取り付けて被締付物で締め付け反力を受けることにより、ロボットに負担を掛けずにネジ締めが出来ることを特徴とする組み合わせ。
(57)【要約】      （修正有）【課題】潜水中に水の流入を完全に防ぐことができ、安全に呼吸することができ、長時間自在に潜水できるスキューバを提供する。【解決手段】空気を注入して使用する二重の浮き輪１、２上に、潜水中に呼吸用チューブ６への水の流入を防ぐため覆い３を取付け、その覆い３に空気孔を設け、その覆いの垂直中心部に、逆Ｕ字型の呼吸用パイプ５を取付ける。この逆Ｕ字型の呼吸用パイプ５の水上に露出している開口部付近にも空気孔を設け、他方の水中にある呼吸用パイプの開口部に着脱式の任意長の呼吸用チューブ６を取付け、この呼吸用チューブ６の先端に着脱式のシュノーケルマスク８を取付ける。【選択図】図１
0003203146.tif 000002
【実用新案登録請求の範囲】
【請求項１】
空気を注入して使用する浮き輪上に潜水中に呼吸用チューブへの水の流入を防ぐために覆いを取付け、その覆いに空気孔を設けその覆いの垂直中心部に逆Ｕ字型の呼吸用パイプを取付ける。
この逆Ｕ字型の呼吸用パイプの水上に露出している開口部付近にも空気孔を設ける。
またこの逆Ｕ字型の呼吸用パイプの水中にある開口部に、着脱式の任意長の呼吸用チューブを取付けこの呼吸用チューブの先端に着脱式のシュノーケルマスクを取付ける。
この方式によって、潜水中に呼吸用チューブへの水の流入を完全に防ぎ、安全に呼吸することができ長時間、自在に潜水できるようにしたことを特徴とするスキューバに関するセフティ  ゴールデン  スキューバ
【考案の詳細な説明】
【技術分野】
【０００１】  本考案は、空気を注入して使用する、内側、外側の二重の浮き輪上に、潜水中に呼吸用チューブへの水の流入を防ぐ為に、覆いを内外二重に取付け、この各覆いにそれぞれ複数の空気孔を設け、その内側覆いの垂直中心部に逆Ｕ字型の呼吸用パイプを取付けこの呼吸用パイプの水上に露出している開口部付近にも複数の空気孔を設ける。また他方の水中にある開口部に、着脱式の任意長の呼吸用チューブを取付け、この呼吸用チューブの先端に着脱式のシュノーケルマスクを取付ける。この方式によって、潜水中に水の流入を完全に防ぎ安全に呼吸することができ、長時間自在に潜水することが可能な、従来のシュノーケリングに替わる、スキューバに関するものである。
【背景技術】
【０００２】  従来のシュノーケリングは、潜水中に水の流入を完全に防ぐことができず、そのため、呼吸法に技術を要し、しかも潜水に制限があった。
【考案の概要】
【考案が解決しようとする課題】
【０００３】  従来のシュノーケルは、潜水中に水の流入を完全に防ぐ手段がなく、従って呼吸法に技術を要し、このため痛ましい水難事故が毎年各地で相次いでいる。
この潜水中に水の流入を完全に防ぐ方法を考案し、誰でも安全に潜水して呼吸することができ、このため長時間、自在に潜水できるようにしたものである。
【課題を解決するための手段】
【０００４】  空気を注入する内側外側が接した二重の浮き輪に、浮き輪の内側外側の境界辺上に接した円錐の覆いを取付け、その円錐の下部付近周囲に複数の空気孔を設ける。更にこの覆いの内側に逆円錐の覆いを取付け、上辺を円錐覆いと接し上部付近周囲に複数の空気孔を設ける。この内側覆いの垂直中心部に逆Ｕ字型の呼吸用パイプを取付けこの呼吸用パイプの水上に露出している開口部付近周囲にも複数の空気孔を設ける。他方の水中にある呼吸用パイプの開口部に着脱式の任意長の呼吸用チューブを取付け、この呼吸用チューブ先端に着脱式のシュノーケルマスクを取付ける。また呼吸用パイプとシュノーケルマスク間に、呼吸用チューブの補助索を取付ける。この方式により潜水中に水の流入を完全に防ぐことができ潜水事故もなく安全に呼吸することができ長時間、自在に潜水が可能となった。
【考案の効果】
【０００５】  浮き輪を二重にすることによって、万一の事故により片方が破損しても一方の浮き輪で浮力を維持することが可能であり、また覆いを二重にし逆Ｕ字型の呼吸用パイプによって水の流入を完全に防ぐことができる。
そして呼吸用パイプとシュノーケルマスク間に、呼吸用チューブの補助索を取付けることによって呼吸用チューブの伸張等による負担をなくし、破損事故を防止する。
このように各箇所に安全策を講じ、従来のシュノーケルと異なり呼吸用チューブに水が入らず、潜水事故もなく安全に潜水し呼吸をすることができる。
また、任意長の呼吸用チューブで長時間、自在に潜水することを可能にしたものであり浮き輪や呼吸用チューブを選択することによって、レジャーは無論のこと、漁師用にも、その他、各種業務用にも活用が可能である。
【図面の簡単な説明】
【０００６】
【図１】  本考案のセフティ  ゴールデン  スキューバの実施例を示す正面図である。
【符号の説明】
【０００７】１  外側浮き輪
２  内側浮き輪
３  外側円錐覆
４  内側逆円錐覆
５  逆Ｕ字型呼吸用パイプ
６  呼吸用チューブ
７  補助索
８  シュノーケルマスク
【図１】
0003203146.tif 000003
【手続補正書】
【提出日】平成27年12月18日(2015.12.18)
【手続補正１】
【補正対象書類名】実用新案登録請求の範囲
【補正対象項目名】全文
【補正方法】変更
【補正の内容】
【実用新案登録請求の範囲】
【請求項１】
空気を注入して使用する浮き輪上に水の流入を防ぐために覆いを取付けこの覆いに空気孔を設けこの覆いの垂直中心部に逆Ｕ字型の呼吸用パイプを取付けこの逆Ｕ字型の呼吸用パイプの水上に露出している開口部付近にも空気孔を設け、またこの逆Ｕ字型の呼吸用パイプの水中にある開口部に着脱式の任意長の呼吸用チューブを取付けこの呼吸用チューブの先端に着脱式のシュノーケルマスクを取付けこの方式によって潜水中に呼吸用チューブへの水の流入を完全に防ぎ安全に呼吸することができ長時間自在に潜水できるようにしたことを特徴とするスキューバ。
(57)【要約】      （修正有）【課題】使用者自身の呼気を顔全体にいきわたらせる為にマスクが顔全体を覆うように形成された顔面保湿マスクを提供する。【解決手段】耳にかけるゴム紐を有し、鼻から頬部、顎まで覆う一般的なマスクを額から顎まで顔全体を覆うように形状を大きくして呼気を顔全体にいきわたらせるようにした。【選択図】図１
0003203174.tif 000002
【実用新案登録請求の範囲】
【請求項１】
一枚で顔全体を覆うように形状を大きく広げることを特徴とする耳にゴムをかける形状のマスク。
【考案の詳細な説明】
【技術分野】
【０００１】本考案はマスク及び美容に関する
【背景技術】
【０００２】顔面皮膚の保湿効果向上のためマスクの形態を考案した。
【先行技術文献】
【特許文献】
【０００３】
【非特許文献】
【０００４】
【考案の概要】
【考案が解決しようとする課題】美容と健康には密接な関係がある。簡易的に顔面領域の皮膚組織の保湿効果向上により皮膚組織の健康増進を得る。
【課題を解決するための手段】鼻から頬部及び顎まで覆う一般的なマスクの形状を顔面全体を覆うことで使用者自身の呼気を利用して顔面領域の皮膚組織の保湿効果向上を可能にした。
【考案の効果】保湿効果が得られた。
【図面の簡単な説明】耳にゴムをかける形状のマスクを拡大して顔面全体を覆うようにした。【図１】正面図
【図２】側面図
【図１】
0003203174.tif 000003
【図２】
0003203174.tif 000004
(57)【要約】      （修正有）【課題】腰痛及び痺れやむくみを改善するボール付き台座を提供する。【解決手段】２個のテニスボール大のボール２が２個の穴あき台座に接着されたボール付き台座１であって、台座１の材質はソフト感のある材質を使用し、材質の大きさは二つの穴が開けられる大きさの材質物とし、穴の大きさは直径３ｃｍから６ｃｍ位の穴で、横に二つ並んだ穴、二つの穴に一個ずつボール２を入れて、ボール２が安定接着された形状を特徴とする。【選択図】図１
0003203172.tif 000002
【実用新案登録請求の範囲】
【請求項１】
２個のテニスボール大のボールが２個の穴あき台座に接着されたボール付き台座、
台座の材質はソフト感のある材質を使用し、
材質の大きさは二つの穴が開けられる大きさの材質物とする、
穴の大きさは直径３ｃｍから６ｃｍ位の穴で、
横に二つ並んだ穴、二つの穴に一個ずつボールを入れて、
ボールが安定接着された
形状を特徴としたボール付き台座。
【考案の詳細な説明】
【考案の詳細な説明】
【０００１】本考案の２個の穴あきに接着されているボールは丁度背骨を挟んだボールで、そのボールを腰に当てます、
腰に当たるボールの位置は尾▲てい▼骨上に添うて、横にした手の甲の間隔の位置の腰にボールをあてがう、
腰に当たるボールの位置がいつもズレなく正確に腰のツボに当たり血流が良くなる、時間的には３分ほどを目安に当てると良い、腰痛の改善、腰からの原因と言われている足の痺れやむくみの改善、腰の重み等の改善に役立ちます。
【技術分野】
【０００２】本考案は腰の健康に関するものである。
【考案の概要】
【０００３】
【考案が解決しようとする課題】
【０００４】腰及び腰からの様々な痛因の改善
【課題を解決するための手段】
【０００５】２個のボール付き台座を使用して解決の手段とした。
【考案の効果】
【０００６】腰骨や骨盤の改善、腰痛や足のむくみや痺れの改善
【図面の簡単な説明】
【０００７】
【図１】本考案の実施例を示す正面図である
【考案を実施するための形態】
【実施例】
【０００８】図１
１  台座
２  ボール
【符号の説明】
【０００９】    １  ボールを接着する台座
２  接着したボール
【図１】
0003203172.tif 000003
(57)【要約】      （修正有）【課題】天板の高さを変更でき、かつ脚の見映えも良い家具を提供する。【解決手段】家具は、天板と、天板に取付けられた複数本の脚とを備え、天板が脚を取付けるための雌ねじ部を備えており、脚が、本脚２と本脚に継ぎ足される継足し脚５とからなり、本脚は上端にねじ棒を有し、継足し脚は上端にねじ棒を有し、下端部に雌ねじ部を有している。本脚に継足し脚を継ぎ足せば脚全体が長くなるので、天板の高さを高くすることができる。また、継足し脚を取り外せば、天板の高さを低くすることができる。【選択図】図１
0003203102.tif 000002
【実用新案登録請求の範囲】
【請求項１】
天板と、該天板に取付けられた複数本の脚とを備える家具であって、
前記天板が脚を取付けるための雌ねじ部を備えており、
前記脚が、本脚と該本脚に継ぎ足される継足し脚とからなり、
前記本脚は上端にねじ棒を有し、
前記継足し脚は上端にねじ棒を有し、下端部に雌ねじ部を有している
ことを特徴とする家具。
【考案の詳細な説明】
【技術分野】
【０００１】
本考案は、家具に関する。本考案の家具は、炬燵やテーブルとして用いられるもので、天板に複数本の脚が取付けられたものである。
【背景技術】
【０００２】
特許文献１の従来技術は、天板に３本の脚を取付けたもので、脚は断面形状が円形で、下端が丸まった形に成形されている。
【０００３】
しかるに、この従来技術では、脚の長さが固定されているので、天板の高さを変えることができなかった。
【先行技術文献】
【特許文献】
【０００４】
【特許文献１】特開平１１−２２９７４号公報
【考案の概要】
【考案が解決しようとする課題】
【０００５】
本考案は上記事情に鑑み、天板の高さを変更でき、かつ脚の見映えも良い家具を提供することを目的とする。
【課題を解決するための手段】
【０００６】
第１考案の家具は、天板と、該天板に取付けられた複数本の脚とを備える家具であって、前記天板が脚を取付けるための雌ねじ部を備えており、前記脚が、本脚と該本脚に継ぎ足される継足し脚とからなり、前記本脚は上端にねじ棒を有し、前記継足し脚は上端にねじ棒を有し、下端部に雌ねじ部を有していることを特徴とする。
【考案の効果】
【０００７】
第１考案によれば、本脚に継足し脚を継ぎ足せば脚全体が長くなるので、天板の高さを高くすることができる。また、継足し脚を取り外せば脚全体が短くなるので、天板の高さを低くすることができる。
【図面の簡単な説明】
【０００８】
【図１】本考案に係る脚の説明図である。
【図２】本考案の一実施形態に係る家具であって脚を短くした状態の斜視図である。
【図３】図２の家具の脚を長くした状態の斜視図である。
【考案を実施するための形態】
【０００９】
つぎに、本考案の実施形態を図面に基づき説明する。
図１に基づき、本考案の脚を説明する。
本考案の脚１は、本脚２とこの本脚２に継ぎ足される継足し脚５とからなる。本脚２は上端にねじ棒３を有し、継足し脚５は上端にねじ棒６を有し、下端部に雌ねじ部７を有している。
【００１０】
図２および図３に示す天板１０の下面における隅部には脚１または本脚２を取付けるための雌ねじ部を備えている。
【００１１】
図２は本脚２のみを天板１０に取付けた例である。図３は本脚２に継足し脚５を継ぎ足して天板１０に取付けた例である。
【００１２】
本脚２に継足し脚５を継ぎ足せば脚全体が長くなるので、天板の高さを高くすることができる。また、継足し脚５を取り外せば脚全体が短くなるので、天板の高さを低くすることができる。
【００１３】
本脚２も継足し脚５も断面形状は円形であり、本脚２の下端は丸みが付けられている。本脚２も継足し脚５も断面が円形であるので、ねじ込み結合したとき、四角断面のようには段違いにならず、自然な円筒形となる。また、本脚２は常に継足し脚５の下側で使われるので、本脚２の下端のみに丸みを付けておけば、畳などを傷つけずに使用することができる。
【符号の説明】
【００１４】
１  脚
２  本脚
３  ねじ棒
５  継足し脚
７  雌ねじ部
１０  天板
【図１】
0003203102.tif 000003
【図２】
0003203102.tif 000004
【図３】
0003203102.tif 000005
(57)【要約】      （修正有）【課題】透光カバー及び該透光カバーを有するスマートペンを提供する。【解決手段】透光カバー３０は、光線センサー２０をカバーして、光線センサー２０を保護し、且つ、光線を透過することに用いられ、透光カバー３０に光線を屈折して光線センサー２０の感光範囲を増大する凹レンズ３１が設置されている。また、スマートペンは、カバー１０、カバー１０内に設置されている光線センサー２０及び光線センサー２０をカバーし、且つ、カバー１０と協力して光線センサー２０を閉鎖する透光カバー３０を備え、透光カバー３０に光線を屈折して光線センサー２０の感光範囲を増大する凹レンズ３１が設置されている。【選択図】図３
0003203101.tif 000002
【実用新案登録請求の範囲】
【請求項１】
光線センサーをカバーして、前記光線センサーを保護し、且つ光線を透過する透光カバーであって、
前記透光カバーには光線を屈折して前記光線センサーの感光範囲を増大する凹レンズが設置されていることを特徴とする透光カバー。
【請求項２】
前記凹レンズは、前記透光カバーの内表面及び／または外表面に設置されていることを特徴とする請求項１に記載の透光カバー。
【請求項３】
前記透光カバーは球形表面を有することを特徴とする請求項１に記載の透光カバー。
【請求項４】
前記透光カバーは前記凹レンズであることを特徴とする請求項１に記載の透光カバー。
【請求項５】
カバー、前記カバー内に設置された光線センサー及び前記光線センサーをカバーし、且つ、前記カバーと協力して前記光線センサーをカバーする透光カバーを備えるスマートペンであって、
前記透光カバーには光線を屈折して前記光線センサーの感光範囲を増大する凹レンズが設置されていることを特徴とするスマートペン。
【考案の詳細な説明】
【技術分野】
【０００１】
本考案は、透光カバーに関し、特別に該透光カバーを有するスマートペンに関するものである。
【背景技術】
【０００２】
ペンで文字を書く時、光線が暗いなどの原因で近視になる恐れがある。従って、環境光線の強度変化を基づいて、芯がカバーから伸び或いはカバー内へ縮まる機能を有するスマートペンは人気がある。しかし、スマートペンのカバーのサイズが小さいので、光線センサーをカバーする透光カバーの大きさは、一定の範囲に制限されている。従って、光線センサーの感光範囲が小さくなり、環境光線の強度を検知する精確性が低いで、スマートペンの制御精度が低下される。
【考案の概要】
【考案が解決しようとする課題】
【０００３】
本考案は、上記の問題点を考慮してなされたものであり、透光カバー及びその透光カバーを有するスマートペンを提供することを目的とする。
【課題を解決するための手段】
【０００４】
上記の目的を達成するために、本考案に係る透光カバーは、光線センサーをカバーして、光線センサーを保護し、且つ光線を透過することに用いられ、透光カバーには光線を屈折して光線センサーの感光範囲を増大する凹レンズが設置されている。
【０００５】
また、上記の目的を達成するために、本考案に係るスマートペンは、カバー、カバー内に設置された光線センサー及び光線センサーをカバーし、且つカバーと協力して光線センサーをカバーする透光カバーを備え、透光カバーには光線を屈折して光線センサーの感光範囲を増大する凹レンズが設置されている。
【考案の効果】
【０００６】
従来の技術と比較して、本考案に係る透光カバーは、光線センサーの感光範囲を増大することができ、光線センサーが環境光線の強度を検知する精確性を向上し、スマートペンの制御精度を更に向上することができる。
【図面の簡単な説明】
【０００７】
【図１】図１は、本考案の実施形態に係るはスマートペンの立体図である。
【図２】図２は、図１をII-IIに沿う断面図である。
【図３】図３は、図２の透光カバーの動作原理図である。
【考案を実施するための形態】
【０００８】
図１に示したように、本実施形態に係るスマートペン１００は、カバー１０、少なくとも１つの光線センサー２０及び光線センサー２０に対応して設置された少なくとも１つの透光カバー３０を含む。スマートペン１００は、光線センサー２０を介して環境光線の強度を検知し、且つ該検知結果によって芯１０１がカバーから伸びる或いはカバー内へ縮まるように制御し、又は環境光線の強度をユーザにフィードバックして、目の使用を気をつけるように提示して、光線が強過ぎ又は弱過ぎで、目が悪くなることを防止する。
【０００９】
図２を共に参照すると、環境光線の強度を検知する光線センサー２０は、カバー１０上に設置されている。透光カバー３０は、光線センサー２０をカバーし、且つカバー１０と協力して光線センサー２０をカバーして、光線センサー２０を保護しながら光線を透過させる。
【００１０】
本実施形態において、透光カバー３０の表面は、球形表面である。透光カバー３０の内表面及び／または外表面には、光線を屈折して光線センサー２０の感光範囲を増大する凹レンズ３１が設置されている。本実施形態において、凹レンズ３１は透光カバー３０の内表面に設置されている。他の実施形態において、透光カバー３０は光線を屈折することができる凹レンズの形状を有する。また、透光カバー３０の形状は、球形に限定されない。他の実施形態において、必要に応じて、他の形状は、例えば、矩形に設置されてもよい。光線センサー２０及び透光カバー３０の数量も本実施形態の数量に限定されない。実際要求によって、適当な数量を選択してもよい。
【００１１】
図３は透光カバー３０の作業原理図である。光線センサー２０から射出する光は、光路Ａに沿って角度ａで射出して、透光カバー３０を介して屈折して、角度ａより大きい角度ｂで射出して、光路Ｂに沿って凹レンズ３１から射出して、空気を介して屈折して光路Ｃに沿って角度ｄで射出する。それにより、光線センサー２０からの光線の射出角度は、段々放大されて、射出光線が発散される。同じに、光可逆性の原理に基づいて、入射する光は、光路Ｃから光路Ａまで屈折して光線センサー２０に入射して、光線を集めて、光線センサー２０の感光範囲を増大することができる。
【００１２】
本考案の透光カバー３０は、光線を屈折する機能を有するので、光線センサー２０の感光範囲を増大することができ、光線センサー２０が環境光線の強度を検知する精確性を向上し、スマートペン１００の制御精度を更に向上することができる。
【００１３】
また、本考案の透光カバー３０は、スマートペン１００に限定されなく、必要に応じて、他の光線センサーを具備する製品に設置してもよい。
【符号の説明】
【００１４】
１０  カバー
２０  光線センサー
３０  透光カバー
３１  凹レンズ
１００  スマートペン
１０１  芯
２００  電子装置
【図１】
0003203101.tif 000003
【図２】
0003203101.tif 000004
【図３】
0003203101.tif 000005
(57)【要約】      （修正有）【課題】車両製造コストの削減と整備性の向上、駆動部品における耐久性の向上を実現するドライブシャフトを提供する。【解決手段】デファレンシャルギア３にリンク機構を持たない駆動軸、ドライブシャフト１を取り付け、ドライブシャフトを保護するための保護円柱パイプ２をデファレンシャルギアケース４に取り付ける。保護円柱パイプにより、デファレンシャルギアとドライブシャフトの接続部分損傷要因を退け、部品自体の耐久性を向上する。ドライブシャフトはリンク機構を持たないために製造コストが下がり、またドライブシャフトが直接ホイール取り付けボルト７によって取り付けられたタイヤを回すので、従来のホイール取り付け部分周辺の部品削除も可能にし、整備性の向上も実現される。【選択図】図１
0003203135.tif 000002
【実用新案登録請求の範囲】
【請求項１】
ドライブシャフトに円柱パイプを組み合わせた構造
【考案の詳細な説明】
【技術分野】
【０００１】  本考案は四輪自動車、三輪自動車の製造コストの削減と駆動部における部品の耐久性を向上させる考案である。
【背景技術】
【０００２】  自動車の製作にあたっては駆動輪を動かすための部品、ドライブシャフトとその取り付け部分の部品にかかるコストが大きく販売価格低下の足かせとなっている。【０００３】  現在における駆動伝達部品の方式はドライブシャフトを３分割、２つのリンク構造によるものではあるが、この部分の耐久性に問題がある。
【考案の概要】
【考案が解決しようとする課題】
【０００４】  車両製作の簡素化と整備の容易化、部品耐久年数の延長を実現する。【０００５】  販売価格の低下と維持整備費の抑制をはかる。
【課題を解決するための手段】
【０００６】  従来の構造である２ヶ所のリンク部分を廃止して、リンク構造をもたないドライブシャフトでタイヤを回すことにより多くの部品点数が削減出来、構造的にも単純な整備性のよい車両になる。【０００７】  リンク部分が廃止されることにより、ドライブシャフト接続部をゴミ、埃や砂等の外部損傷要因から守るための円柱パイプによるガードが可能となり、部品の耐久性を向上させる事が出来る。【０００８】  従来の構造に対して部品点数を減らすことにより、部品総経費の低下と人件費の抑制が可能となる。
【考案の効果】
【０００９】  単純な構造にすることにより製作や整備を容易にし、従来の構造より低コストで強度の高いドライブシャフトが使用できるようになり、ドライブシャフト保護円柱パイプによる接続部分の保護により耐久性の向上が実現できる。
【図面の簡単な説明】
【００１０】
【図１】  構造図
【図２】  断面図
【図３】  ドライブシャフト図
【図４】  ドライブシャフト保護円柱パイプ図
【考案を実施するための形態】
【００１１】  従来のデファレンシャルギア３に駆動軸であるドライブシャフト１を取り付け、ドライブシャフト１を保護するドライブシャフト保護円柱パイプ２をデファレンシャルギアケース４に取り付けボルト６をもって取り付ける。
駆動軸であるドライブシャフト１は直接にブレーキディスクローター５とホイール取り付けボルト７を回し、ホイール取り付けボルト７によって取り付けられたタイヤに回転が伝わり走行をする。
【実施例】
【００１２】  デファレンシャルギア３にドライブシャフト１を取り付ける。【００１３】  デファレンシャルギアケース４にドライブシャフト保護円柱パイプ２を取り付ける。【００１４】  ホイール取り付けボルト７にホイール、タイヤを取り付ける。
【符号の説明】
【００１５】  １  ドライブシャフト
２  ドライブシャフト保護円柱パイプ
３  デファレンシャルギア
４  デファレンシャルギアケース
５  ブレーキディスクローター
６  取り付けボルト
７  ホイール取り付けボルト
【図１】
0003203135.tif 000003
【図２】
0003203135.tif 000004
【図３】
0003203135.tif 000005
【図４】
0003203135.tif 000006
【手続補正書】
【提出日】平成27年12月11日(2015.12.11)
【手続補正１】
【補正対象書類名】実用新案登録請求の範囲
【補正対象項目名】全文
【補正方法】変更
【補正の内容】
【実用新案登録請求の範囲】
【請求項１】
円柱パイプを用いて保護をする構造をもったドライブシャフト。